(57)【特許請求の範囲】
【請求項１】
たばこの包装であって、その際、この包装（１０）が包装内容物（２８）、すなわちたばこ群の収容のためのカップ形状の箱部分（１１）および箱部分（１１）を閉鎖するための蓋（１２）ならびに箱部分（１１）内に設けられるカラー（１３）を有し、その際、包装（１０）が、直立した複数の側壁部、つまり蓋の前壁部（１７）と箱の前壁部（１８）から形成される大面積の前壁部（１６）および、蓋の後壁部（２０）と箱の後壁部（２１）から形成される、向かい合った側の後壁部（１９）、並びに前壁部（１６）および後壁部（１９）を接続し、かつ各部分側壁部（２９，３０，３１，３２，３３）から形成される狭側壁部（２２，２３）を有し、その際、側壁部が、箱部分（１１）および蓋（１２）にわたって延在し、および直立する折線（３８）によって互いに接続されている前記包装において、
隣接する二つの側壁部に、つまり、隣接する二つの側壁部に、または箱の前壁部（１８）およびこれと隣接する部分側壁部（２９）に、または箱の後壁部（２１）およびこれと隣接する部分側壁部（３３）に、中間平面（４９）が形成され、この中間平面が、両隣接する側壁部の部分にわたって延在し、およびこの中間平面が、両隣接する側壁部の間の折線（３８）を中断し、その際、隣接する二つの側壁部が、中間平面（４９）の領域内において、中間平面（４９）の外側の各側壁部の平面から逸脱した推移を有し、その際、中間平面（４９）を有する隣接する二つの側壁部が、少なくとも１３５°である角度に配置され、この角度は、中間平面（４９）の領域外で、包装内容物（２８）の方を向いた側に決定されること、その際、中間平面（４９）が、隣接する二つの側壁部の材料内にもたらされた脆弱線によって境界付けられており、この脆弱線が、中間平面（４９）の輪郭に沿って推移しており、その際、脆弱線が刻傷又は溝によって、または刻傷および溝の組合せによって形成されていることを特徴とする包装。
【請求項２】
脆弱線が、包装内容物（２８）の方を向いた、隣接する二つの側壁部の内側面に形成されており、その際、脆弱線が、刻傷として、つまり側壁部の材料厚さの１／３から２／３に相当する深さを有する切り口（５３）として形成されていることを特徴とする請求項１に記載の包装。
【請求項３】
隣接する二つの側壁部が、中間平面（４９）の領域内で湾曲した推移を有することを特徴とする請求項１または２に記載の包装。
【請求項４】
隣接する二つの側壁部が、中間平面（４９）の領域内で、各側壁部の平面に対して角度を有して推移していることを特徴とする請求項１から３のいずれか一項に記載の包装。
【請求項５】
隣接する二つの側壁部の間の直立した折線（３８）が、中間平面（４９）によって中断されており、その際、折線（３８）が、中間平面（４９）の輪郭に沿って推移する、隣接する二つの側壁部と中間平面（４９）の間の移行線（５０）によって続行されることを特徴とする請求項１に記載の包装。
【請求項６】
移行線（５０）が、折線（３８）の下方端部（５１）から出発し、中間平面（４９）への移行部において、まず分岐して推移し、そしてその後、中間平面（４９）の最大幅の点に達した後、中間平面（４９）の移行部において、折線（３８）の上方端部（５２）へと、再び集まってくるように推移することを特徴とする請求項５に記載の包装。
【請求項７】
中間平面（４９）または移行線（５０）の輪郭が、頂点上に立てられた四角形に相当し、四角形の上方および下方の角が、一方では中間平面（４９）への移行部の折線（３８）の上方および下方の端部（５１，５２）に存在し、および他方では、側方の角（５６）が、隣接する二つの側壁部の別の隣接する側壁部への移行部中における折線（３８）上に存在しているよう、前記四角形に相当することを特徴とする請求項５に記載の包装。
【請求項８】
中間平面（４９）が、レンズ形状の輪郭を有しており、中間平面（４９）の上方および下方の端部（５１，５２）が、隣接する二つの側壁部の間の折線（３８）上に存在し、および、中間平面（４９）が、隣接する二つの側壁部の別の隣接する側壁部への移行部中の折線（３８）まで側方に延在しているよう、レンズ形状の輪郭を有していることを特徴とする請求項５に記載の包装。
【請求項９】
中間平面（４９）が、箱部分（１１）の領域内に形成され、および蓋（１２）が、中間平面（４９）を有さないことを特徴とする請求項１に記載の包装。
【請求項１０】
中間平面（４９）が、隣接する二つの側壁部の下側および上側から間隔をあけて形成されていることを特徴とする請求項１に記載の包装。
【請求項１１】
中間平面（４９）が、底壁部（２６）への移行部中の折線（３７）に対して間隔をあけて、および箱部分（１１）の閉鎖エッジ（１５）に対して間隔をあけて形成されていることを特徴とする請求項１０に記載の包装。
【請求項１２】
包装（１０）が、複数の中間平面（４９）を、同一の隣接する側壁部に有していることを特徴とする請求項１に記載の包装。
【請求項１３】
包装（１０）が、複数の中間平面（４９）を、同一の隣接する側壁部に有しており、複数の中間平面（４９）が、同一の隣接する側壁部に、互いに間隔を有して設けられるよう、複数の中間平面（４９）を有していることを特徴とする請求項１に記載の包装。
【請求項１４】
中間平面（４９）が、包装（１０）の前壁部（１６）及び／又は後壁部（１９）から狭側壁部（２２，２３）への移行部中に設けられていることを特徴とする請求項１に記載の包装。
【請求項１５】
中間平面（４９）が、複数の隣接する側壁部にわたって、丸められた包装の角の領域中で、セグメント状に設けられた幅狭の側壁部（５８）にわたって延在していることを特徴とする請求項１に記載の包装。
【請求項１６】
包装（１０）の前壁部（１６）が、斜めに推移する、曲げられた折線（３８）を有していること、および前壁部（１６）に続く側壁部にそれぞれ中間平面（４９）が形成さており、この中間平面が、前壁部（１６）の、斜めに向いた折線（３８）にまで横に延在していることを特徴とする請求項１に記載の包装。
【請求項１７】
中間平面（４９）または移行線（５０）の輪郭が、アーチ状に形成されていることを特徴とする請求項５に記載の包装。
【請求項１８】
中間平面（４９）または移行線（５０）の輪郭が、アーチ状に形成されており、および各移行線（５０）が、複数の反対に反ったアーチ部分を有することを特徴とする請求項５に記載の包装。
【請求項１９】
中間平面（４９）または移行線（５０）の輪郭が、アーチ状に形成されており、および各移行線（５０）が、複数の反対に反ったアーチ部分を有すること、およびアーチ部分が異なる長さを有することを特徴とする請求項５に記載の包装。
【発明の詳細な説明】
【技術分野】
【０００１】
本発明は、請求項１の上位概念部に従う、たばこの包装であって、その際、この包装が包装内容物、すなわちたばこ群の収容のためのカップ形状の箱部分および箱部分を閉鎖するための蓋ならびに箱部分内に設けられるカラーを有し、その際、包装が、直立した複数の側壁部、つまり蓋の前壁部と箱の前壁部から形成される大面積の前壁部および、蓋の後壁部と箱の後壁部から形成される、向かい合った側の後壁部、並びに前壁部および後壁部を接続し、かつ各部分側壁部から形成される狭側壁部を有し、その際、側壁部が、箱部分および蓋部分にわたって延在し、および直立する折線によって互いに接続されている包装に関する。本発明は、更に、そのような包装の製造のためのブランクに関する。
【背景技術】
【０００２】
この種の包装は、ヒンジリッド式包装として多数の実施形が知られている。直方体の形状を有する包装の他に、六角形または八角形断面または丸められた包装の角を有する包装も公知である。更に、後側に直角の角を有し、前側に斜めにされた角を有する包装が公知である。この特別な包装形状は、一方で、出来る限り省スペースな包装内容物の配置という背景のもと開発され、他方で、できるだけ目に留まる包装形状という背景から開発された。これと関係なく、（たばこの）包装は、しばしばコピーされるという問題がある。
【発明の概要】
【発明が解決しようとする課題】
【０００３】
これに端を発し、本発明は、冒頭に記載した種類の包装を、特に、（なお）目立つ包装形状という観点、及び／又はコピーするのが困難な形状という観点で更に発展させることを目的とする。
【課題を解決するための手段】
【０００４】
この課題を解決する包装は、請求項１に記載の特徴を有している。それによれば、二つの隣接する側壁部に、つまり、隣接する二つの側壁部に、または箱の前壁部およびこれと隣接する部分側壁部に、または箱の後壁部およびこれと隣接する部分側壁部に中間平面が形成され、この中間平面が、両隣接する側壁部の部分にわたって延在し、およびこの中間平面が、両隣接する側壁部の間の折線を中断し、その際、隣接する二つの側壁部が、中間平面の領域内において、中間平面の外側の各側壁部の平面から逸脱した推移を有し、その際、中間平面を有する隣接する二つの側壁部が、少なくとも１３５°である角度に配置され、この角度は、中間平面の領域外で、包装内容物の方を向いた側に決定されること、その際、中間平面が、隣接する二つの側壁部の材料内にもたらされた脆弱線によって境界付けられており、この脆弱線が、中間平面の輪郭に沿って推移しており、その際、脆弱線が刻傷又は溝によって、または刻傷および溝の組合せによって形成されていることが意図される。
【０００５】
この解決策の利点は、中間平面に起因して、例えば従来の長方形断面を有するたばこ包装よりも、包装が、製造においてより複雑であるという点と、およびこれに伴い、それほど容易にコピーすることができないという点にある。他方、中間平面は、特に対応する印刷デザインと結びついて、新たな視覚効果を図る可能性を与え、これによって消費者の注意をこの包装に向けることができる。
【０００６】
中間平面を有する隣接した側壁部は、中間平面の領域の外側で１３５°以上の角度中に設けられている。隣接する側壁部がより小さな角度、例えば９０°内に設けられる場合、中間平面の形成は、隣接する側壁部の隣に存在する側壁部の変形に通じる可能性がある点を、発明者は発見した。しかし、これによって包装の、望まれない視覚上の損傷が発生し、しかしながらこの損傷は、より大きな角度によって少なくとも大幅に回避することができる。
【０００７】
そして、中間平面は、隣接する二つの側壁部の材料内にもたらされた、刻傷又は溝、または刻傷および溝の組合せの形式の脆弱線によって境界付けられており、この脆弱線が、中間平面の輪郭に沿って連続して推移している。この方法によって、中間平面の位置が、驚くほど容易に包装に与えられることができる。脆弱線のおかげで、その他の点では通常の折過程により、中間平面の逸脱した推移を自動的に現われさせることができる。
【０００８】
本発明に係る包装の有利な発展形と、好ましい実施形は、下位の請求項および他の明細書の記載より明らかとなる。
【０００９】
好ましくは、脆弱線は、包装内容物の方を向いた、隣接する二つの側壁部の内側面に形成されており、特に、刻傷として、つまり側壁部の材料厚さの略１／３から２／３に相当する深さを有する切り口として形成されている。この方法によって脆弱線が諸費者に見えず、よって、完成した包装の外観を損なうことが無い。
【００１０】
逸脱した推移は、隣接する二つの側壁部が中間平面の領域内で、湾曲した推移を有することによって、及び／又は、各側壁部の平面に対して角度を有して推移していることによって与えられることができる。  
【００１１】
好ましくは、中間平面は、隣接する二つの側壁部の間の直立した折線が、中間平面によって中断されており、その際、折線が、中間平面の輪郭に沿って推移する、隣接する二つの側壁部と中間平面の間の移行線によって続行されるよう設けられている。特に、これは、移行線が、折線の下方端部から出発し、中間平面への移行部において、まず分岐して推移し、そしてその後、中間平面の最大幅の点に達した後、中間平面の移行部において、折線の上方端部へと、再び集まってくるように推移することによって行われる。
【００１２】
有利な実施形に従い、中間平面または移行線の輪郭が、頂点上に立てられた四角形、特にひし形に相当し、四角形の上方および下方の角が、一方では中間平面への移行部の折線の上方および下方の端部上に存在し、および他方では、側方の角が、隣接する二つの側壁部の別の隣接する側壁部への移行部中における折線上に存在しているよう、前記四角形、特にひし形に相当することが意図されることが可能である。
【００１３】
代替として、中間平面が、レンズ形状の輪郭を有しており、中間平面の上方および下方の端部が、隣接する二つの側壁部の間の折線上に存在し、および、中間平面が、隣接する二つの側壁部の別の隣接する側壁部への移行部中の折線まで側方に延在しているよう、レンズ形状の輪郭を有していることが可能である。
【００１４】
別の独自性は、中間平面が、箱部分の領域内に形成され、および蓋が、中間平面を有さない点に存在することが可能である。この解決策は、包装のカラーが、通常の方法で形成されることが可能であって、および中間平面を有する必要が無いという利点を有している。
【００１５】
本発明の有利な実施形に従い、中間平面が、隣接する二つの側壁部の下側および上側から間隔をあけて形成されており、特に底壁部への移行部中の折線に対して間隔をあけて、および箱部分の閉鎖エッジに対して間隔をあけて形成されている。
【００１６】
別の有利な実施形は、包装が、複数の中間平面を、隣接する同じ側壁部に有しており、複数の中間平面が、隣接する同じ側壁部に、互いに間隔を有して、重なり合って設けられるよう、複数の中間平面を有していることを意図する。
【００１７】
有利には、中間平面が、包装の前側及び／又は後側から包装の狭側への移行部中に設けられており、その際、中間平面が、複数の隣接する側壁部にわたって延在していることが可能である。これは例えば、丸められた包装の角を有する包装であって、かつこの包装が、丸められた包装の角の領域中で、セグメント状に設けられた幅狭の側壁部からなっている場合に当てはまり得る。
【００１８】
有利な実施形に従い、包装の前壁部が、斜めに推移する、曲げられた折線を有していることが可能であり、その際、前壁部に続く側壁部にそれぞれ中間平面が形成さており、この中間平面が、前壁部の、斜めに向いた折線にまで横に延在している。
【００１９】
別の独自性は、包装が、複数の中間平面を有しており、包装の水平周囲寸法が、包装の高さにわたって出来る限り少なく異なるよう、前記中間平面が、包装の周囲にわたって分配されている、及び／又は算定されている点に存在しうる。このような包装の周囲長の最適化は、出来る限り折り目の無い表包装をたとえばセロファンより形成することを配慮している。
【００２０】
特に有利な実施形においては、中間平面の側方角及び／又は下方端部及び／又は上方端部が、三つの脆弱線の交点上に設けられていることが意図とされ得る。
【００２１】
本発明は、更に、たばこの包装を製造するためのブランクに関し、その際このブランクの側壁部が、折線によって互いに接続されている。発明にしたがい、二つの隣接する側壁部に対して中間平面が形成されており、この中間平面が、隣接する両側壁部の部分にわたって関連を持って延在しており、かつ隣接する両側壁部の間の折線を中断し、その際、中間平面が、脆弱線によって定義され、この脆弱線が、ブランクにおける中間平面の輪郭に沿って延在している。
【００２２】
本発明に係るブランクの有利な発展形および好ましい実施形は、下位の請求項及び他の明細書の記載から生じる。
【００２３】
本発明の有利な実施例について、図面を下に以下に詳細に説明する。
【図面の簡単な説明】
【００２４】
【図１】発明に従うたばこの包装の立体図
【図２】図１の包装の蓋を開いた状態の図
【図３】図１の包装の正面図
【図４】図１の包装の側面図
【図５】図１の包装の後面図
【図６】図１の包装の製造のためのブランクの図
【図７】図１の包装のカラーためのブランクの図
【図８】中間平面の領域中の図１の矢印ＶＩＩＩに従う包装の側壁部の拡大図
【図９】図８の切断線ＩＸ−ＩＸに沿う垂直断面
【図１０】図８の切断線Ｘ−Ｘに沿う水平断面
【図１１】図６の切断線ＸＩ−ＸＩに沿う断面
【図１２】図６の切断線ＸＩＩ−ＸＩＩに沿う断面
【図１３】図１の図中の発明に従うたばこの包装の第二の実施例
【図１４】図１３の包装の蓋を開いた状態の図
【図１５】図１３の包装の正面図
【図１６】図１３の包装の側面図
【図１７】図１３の包装の後面図
【図１８】図１３の包装の製造のためのブランクの図
【図１９】図１３の包装のカラーのブランクの図
【図２０】中間平面の領域中の図１３の矢印ＸＸに従う包装の側壁部の拡大図
【図２１】図２０の切断線ＸＸＩ−ＸＸＩに沿う垂直断面
【図２２】図２０の切断線ＸＸＩＩ−ＸＸＩＩに沿う水平断面
【図２３】図１の図中の発明に従うたばこの包装の第三の実施例
【図２４】図１の図中の発明に従うたばこの包装の第四の実施例
【図２５】図２４および２９中の切断線ＸＸＶ−ＸＸＶに沿う水平断面
【図２６】図２５の標識ＸＸＶＩ部分の詳細の拡大図
【図２７】図１の図中の発明に従うたばこの包装の第五の実施例
【図２８】図２７の切断線ＸＸＶＩＩＩ−ＸＸＶＩＩＩに沿う水平断面図
【図２９】図１の図中の発明に従うたばこの包装の第六の実施例
【図３０】図１の図中の発明に従うたばこの包装の第七の実施例
【図３１】図３０の切断線ＸＸＸＩ−ＸＸＸＩに沿う水平断面
【図３２】図１の図中の発明に従うたばこの包装の第八の実施例
【図３３】図１の図中の発明に従うたばこの包装の第九の実施例
【図３４】図３３の包装の蓋を開いた状態の図
【図３５】図３３の包装の正面図
【図３６】図３３の包装の側面図
【図３７】図３３の包装の後面図
【図３８】図３３の包装の上面図
【図３９】図３３の包装の製造のためのブランクの図
【図４０】図３３の包装のカラーのためのブランクの図
【図４１】図３３の切断線ＸＬＩ−ＸＬＩに沿う水平断面図
【図４２】図３３の切断線ＸＬＩＩ−ＸＬＩＩに沿う別の水平断面図
【図４３】図１の図中の発明に従うたばこの包装の第十の実施例
【図４４】図４３の包装の蓋を開いた状態の図
【図４５】図４３の包装の正面図
【図４６】図４３の包装の側面図
【図４７】図４３の包装の後面図
【図４８】図４３の包装の製造のためのブランクの図
【図４９】図４３の包装のカラーのためのブランクの図
【発明を実施するための形態】
【００２５】
本発明を以下に、たばこのための包装１０の製造に基づいて例示的に説明する。包装１０は、ヒンジリッド式の包装タイプのバリエーションである。相応して、包装１０は、（下方の）箱部分１１と（上方の）蓋１２を有している。包装タイプに対応して、蓋１２は揺動可能に箱部分１１に設けられ、つまり、包装１０の仮想の垂直主軸を横切って推移する線状関節３４の領域に設けられている。
【００２６】
包装の別の構成要素はカラー１３であり、このカラーは、箱部分１１内に設けられ、かつ当該部分から突出している。カラー１３は、通常、蓋１２の閉鎖位置の安定のために使用される。蓋が閉じられている場合（例えば図１）、蓋１２と箱部分１１は、各閉鎖エッジ１４，１５でもって互いに接している。
【００２７】
箱部分１１は、基本的にカップ形状に形成されており、包装内容物２８、当該場合においてはたばこ群を収容する。たばこ群は、通常、例えばアルミ箔からなる内包装に包まれていることが可能である。この内包装は、たばこ群の周りをぐるっと回って折り畳まれている。
【００２８】
包装１０は、折線を解して互いに接続されている直立した側壁部を有している。側壁部は、包装の直立した仮想主軸に対してそれぞれ平行である各平面内を推移する。これら側壁部には、以下の包装壁部が数に入れられる。
−  蓋の前壁部１７と箱の前壁部１８から形成される大面積の前壁部１６
−  蓋の後壁部２０と箱の後壁部２１から形成される、前壁部１６と向かい合った大面積の後壁部１９
−  蓋の狭側壁部２４と箱の側壁部２５より形成され、前壁部１６と後壁部１９を接続する、向かい合った狭側壁部２２，２３
−  箱部分１１の（下側の）底壁部２６
−  蓋１２の（上側の）蓋壁部２７
【００２９】
包装１０の断面形状に応じて、狭側壁部２２，２３は複数の部分側壁部から形成されることが可能である。図１から１２の第一の実施例においては、包装１０は、それぞれ五つの部分側壁部２９，３０，３１，３２，３３から形成される狭側壁部２２，２３を有している。
【００３０】
包装１０を製造するためのブランク３５が図６に示されている。ブランク３５は、通常の包装材料、例えば薄手のボール紙から構成されることができる。ブランクの中央には、相前後して、箱の前壁部１８、底壁部２６、箱の後壁部２１、蓋の後壁部２０、蓋壁部２７および蓋の前壁部１７並びに蓋の内側タブ３６が配置されている。これら壁部は、横断方向折線３７によって互いに接続されている。箱の前壁部１８の側方には、両側に、箱の側方タブ３９，４０，４１が、箱部分１１の部分側壁部２９、．．．、３３の形成のために設けられており、これらが長手方向折線３８によって互いに接続されている。部分側壁部３１は、箱部分１１の領域中で、両方の箱の側方タブ４１の重なり合った配置によって形成される。別の箱の側方タブ３８、．．．、４１は、箱の後壁部２１の両側に設けられている。箱の後壁部２０の側方には、対応する蓋の側方タブ４２，４３，４４が存在しており、蓋の前壁部１７の両側にも同様である。更に、底の角タブ４５と蓋の角タブ４６が存在している。これらは、一方で箱の側方タブ４１の外側で底壁部２６に隣接して、および他方で、蓋の側方タブ４４の外側で蓋壁部２７に隣接して設けられている。
【００３１】
カラーのブランク４７は、包装の形状に合わせられているので、これは、箱の前壁部１８と部分側壁部２９，．．．，３３の領域に延在する。その限りでは、カラーのブランク４７内に、対応する長手方向折線３８が設けられている。さらに、カラーのブランク４７は、上側にくぼみ４８を有している。
【００３２】
包装１０の製造は、従来の方法および様式で、図示されていないヒンジリッド式包装のための包装機械により行われる。その際、ブランク３５は、（長手方向および横断方向）折線３７，３８に沿って折り曲げられる。
【００３３】
包装１０の独自性は、箱部分１１の側壁部にいわゆる中間平面４９が形成される点に存在する。中間平面４９の領域中では、側壁部の推移は、中間平面４９の領域の外側における通常の推移から逸脱している。このようにして、包装１０の特徴的な形状が生じる。
【００３４】
図１から１２の実施例においては、合計で四つの中間平面４９が設けられている。これら中間平面は、部分側壁部２９，３０および３１，３２に形成されており、つまり両狭側壁部２２，２３に形成されている。中間平面４９は、包装１０の隣接する二つの側壁部の領域にわたって延在するよう、合わせられて設けられている。更に中間平面４９は、この直線に沿って長手方向折線３８が隣接する側部壁を推移する一つの直線を越えて延在し、その際、長手方向折線３８が中間平面４９の領域で中断されるよう設けられている。長手方向折線３８は、中間平面４９の領域で移行線５０に移行し、この移行線が、中間平面４９の周囲に沿って推移する。
【００３５】
中間平面４９の輪郭は、第一の実施例ではひし形に相当する。その際、ひし形の上方の端部または上方の頂点が、側壁部の間の長手方向折線３８の上方の端部５２上に存在する。ひし形の下方の端部または下方の頂点は、長手方向折線３８の下方の端部５１上に存在する。
【００３６】
ひし形の側方角５６は、隣接する部分側壁部３１への長手方向折線３８上と、箱の前壁部１８への長手方向折線３８上に存在する。
【００３７】
よって結果として、中間平面４９の上方および下方の角または端部は、三つの脆弱線の交点上、つまり折り線３８と二つの移行線５０の交点上に存在する。側方角５６もまた、三つの脆弱線の交点中、つまりここでもまた、折線３８と二つの移行線５０の交点中に存在する。包装１０の製造のためにこれは有利である。なぜなら、脆弱線が中断されないからである。
【００３８】
中間平面４９は、底壁部２６への横断方向折線３７に対して、および箱部分１１の閉鎖エッジ１５に対してそれぞれ間隔をあけて設けられており、その際、これら中間平面４９は、同じ高さを有しており、かつ底壁部２６への移行部中の横断方向折線３７と、箱部分１１の閉鎖エッジ１５の中央に位置している。
【００３９】
側壁部２２，２３の領域では、閉鎖エッジ１５が斜めに推移しているので、部分側壁部３２，３３の中間平面４９は、部分側壁部２９，３０の中間平面４９よりも、大きな間隔を、底壁部２６への横断方向折線３７からあけて設けられている。
【００４０】
中間平面４９は、箱部分１１の領域のみに設けられている。他方、蓋１２には中間平面４９は形成されていない。
【００４１】
中間利平面４９の輪郭に沿って、ブランク３５の材料中に、材料脆弱部として切り口５３が設けられている。材料脆弱部または切り口５３は、好ましくは中間平面４９の輪郭に沿って連続して推移している。中間平面４９の移行線５０に沿った材料脆弱部は、ブランク３５を容易に変形することを可能とし、これによって各側壁部に対する逸脱した推移が可能となる。材料脆弱部は、包装内容物２８の方を向いたブランク３５の内側を推移する。
【００４２】
中間平面４９の領域の正確な推移は、その輪郭と側壁部における配置から生じる。本件の場合、中間平面４９は、各側壁部に対して角度を有しかつ曲がって推移する（図９および１０）。
【００４３】
切り口５３または刻傷の深さは、ブランク３５の厚さの１／３から２／３の間である。
【００４４】
本件の場合、長手方向折線３８のいくつかもまた切り口５３によって形成されている。つまり、少なくとも、狭い部分側壁部２９，．．．，３３の間と、部分側壁部２９，．．．，３３とこれと隣接する前壁部１６または後壁部１９の間の長手方向折線３８は、既知口によって形成されている。
【００４５】
横断方向折線３７は、刻み込まれた溝５４として形成されている。他の長手方向折線３８もまた、このような溝５４として形成されることが可能である。
【００４６】
別の独自性は、隣接する側壁部が所定の角度５５のもと設けられる点に存在する。部分側壁部２９，３０または３２，３３の間の角度５５は、少なくとも１３５°である。その際、角度５５は、中間平面４９の領域外で、詳しく言うと包装内容物２９の方を向いた側（内側角度）に決定される。
【００４７】
（簡易な）切り口５３として材料脆弱部が形成されることに基づき、ブランク３５は、ブランク３５の折り曲げの際に材料脆弱部の領域中で押し曲げられる。
【００４８】
以下に第一の実施例に対する代替およびバリエーションまたは他の実施例を記載する。その際、参照される実施例に対する各相違点のみを説明する。他所で記載していない限り、各包装は、参照される実施例に相当する。
【００４９】
包装１０の第二の実施例が図１３から２２に示されている。第二の実施例は、中間平面４９の位置と狭側壁部２２，２３の形状に関して、第一の実施例と異なっている。
【００５０】
包装１０は、八角形包装のタイプの包装１０である。つまり包装１０の断面は、八角形である。このため、前壁部１６と後壁部１９を接続するための狭部分側壁部２２，２３は、三つの部分側壁部３０，３１，３２によって形成されており、これらは平面図でみると互いに角度を有して設けられている。
【００５１】
中間平面４９は、第二の実施例では箱部分と隣接する部分側壁部３０に設けられているので、この（仮想直線）中をこれら両側壁部の間の長手方向折線３８が延在している仮想直線を越えて延在している。中間平面４９の数量と配置は、第一の実施例同様である。しかしながらその際、ひし形形状の輪郭の側方端部または角５６は、隣接する長手方向折線３８上に存在せず、これと間隔をあけている。
【００５２】
長手方向折線３８は、この実施例の場合、側壁部のより大きな幅のおかげで、切り口５３に代えて溝５４として形成されることが可能である。
【００５３】
図２３は、第三の実施例を示す。第一の実施例とは、中間平面４９の形状のみが異なっている。
【００５４】
中間平面４９は、レンズ状の形状を有している。その際、上方の端部５２と下方の端部５１は、第一の実施例のように、長手方向折線３８上に存在する。中間平面４９の移行線５０の湾曲した輪郭は、隣接する側方の側壁部への移行部中における隣接する長手方向折線３８にまで、それぞれ側方に広がっている。
【００５５】
図２４から２６は、丸い角５７を有する包装１０の形式の第四の実施例を示している。この包装形式に対して典型的であるのは、前壁部１６または後壁部１９と狭側壁部２２，２３の間の直立した包装縁部の丸められた形状である。
【００５６】
中間平面４９は、丸い角５７の領域にそれぞれ設けられている。この丸い角は、部分側壁部３０として、前壁部１６と狭側壁部２２，２３の間の移行部を形成し、そして、部分側壁部３２として後壁部１９と狭側壁部２２，２３の間の移行部を形成している。
【００５７】
部分側壁部３０，３２は、丸い角の包装において通常であるように、複数、例えば８個の狭いセグメントから形成されている。これらセグメントは、長手方向折線３８によって互いに接続されている。これまでの実施例と異なって、セグメント５８は、切り口５３と長手方向折線３８によって互いに分離されていない。前壁部１８と狭側壁部２２，２３への移行部中における外側の長手方向折線３８のみが、これら切り口５３を有している。
【００５８】
隣接するセグメント５８は、他の実施例においてのように、例えば１３５°以上の角度に設けられる。
【００５９】
中間平面４９はそれぞれ、丸い角５７の全幅にわたって延在し、つまり複数のセグメント５８を越え、その際、ひし形の下方の端部５１と上方の端部５２は、ここでもまた、長手方向折線３８上に存在する。ひし形の側方の角は、切り口５３を有する、前壁部１８へと部分側壁部３１への移行部中の長手方向折線３８上に存在している。
【００６０】
第五の実施例、つまり斜めの角５９を有する包装１０の形式の実施例が図２７および２８中に示されている。
【００６１】
斜めの角５９は、上述した実施例における丸い角５７と同じ包装縁部に形成されている。四つの中間平面４９が、第二の実施例のように設けられ、つまり前側１６と後側１９および各狭側壁部２２，２３の間の移行部中に設けられている。部分側壁部３０，３２は、しかしながら、斜めの角５９の領域中に、第二の実施例におけるよりもより狭く形成される。
【００６２】
別のバリエーションが第六の実施例として図２９に示されている。独自性は、後壁部１９の領域における二つの包装縁部が、直角な包装縁部として形成される点にあり、他方、前壁部１６に隣接する二つの包装縁部は、特別な方式で形成される。つまり、一方では第四の実施例におけるように丸い角５７として形成され、他方で第五の実施例におけるように斜めの角５９として形成される。
【００６３】
中間平面４９は、丸い角５７の領域と斜めの角５９の領域に設けられ、そして上述したように形成される。後壁部１９の両側の直角の包装縁部の領域においては、中間平面４９は形成されない。
【００６４】
第七の実施例が、図１から１２の第一の実施例の変形として図３０および３１に記載される。相違点は、複数の中間平面４９が、隣接する側壁部に重なり合って形成されている点にある。
【００６５】
中間平面４９は、（一定の間隔で）互いに位置決めされているので、重なり合って設けられた中間平面の間には、一辺の長手方向折線３８が延在する。別の相違点は、カバー１２にも中間平面４９が形成されている点にある。
【００６６】
上述した包装１０の変形が、図３２に第八の実施例として記載される。これは、中間平面４９の輪郭が、共通した側方の端部５６へと推移せず、側方の端部５６は、長手方向折線３８上に設けられるが、しかし互いに鉛直方向の間隔を有しているので、中間平面４９が、六角形の形状を有している点が、図３０の包装１０と異なっている。
【００６７】
第九の実施例が、図１から１２の第一の実施例の変形として図３３から４２に示されている。示されている包装１０または対応するブランク３５の独自性は、箱の前壁部１８が、長方形の形状を有しておらず、斜めに推移する長手方向折線３８によって境界付けられている点に見られる。
【００６８】
更に、四つの中間平面４９が、底壁部２６への移行部中の横断方向折線３７から箱部分１１の閉鎖エッジ１５まで延在している、つまりそれぞれの全高さにわたって延在している。斜めに向けられて推移する閉鎖エッジ１５に対応して、後壁部に隣接する中間平面４９の、前壁部に隣接する中間平面４９と比較してより高い高さが生じる。
【００６９】
第一の実施例と比較すると、蓋の前壁部１７は、より狭い幅を有しており、他方、部分側壁部２９は、幅を広げられている。箱の前壁部１８は、閉鎖エッジ１６から出発して両側を広がっていく長手方向折線３８によって境界付けられており、この長手方向折線は、箱の前壁部１８のおよそ半分の高さ辺りから、底壁部２６への移行部中の横断方向折線３７に向かって集中して推移する。そこで箱の前壁部１８は、情報の閉鎖エッジ１５の領域においてと同様の幅を有する。
【００７０】
斜めに向けられた長手方向折線３８によって、包装の前壁部１６と隣接する部分側壁部２９，３３の間に、これら側壁部に対して、折り曲げられた折線３８を有する一つの対応する他の形状が生じる。このため、中間平面４９のみでなく、中間平面４９の外側の部分側壁部２９，３３の略三角形の各部分も各側壁部から逸脱して形成される。
【００７１】
中間平面４９は、その側方角５６が、折れ曲がった長手方向折線３８上に存在する、つまり箱の前壁部１８の半分の高さの長手方向折線３８の折れ曲がり点上に存在する。
【００７２】
包装１０の蓋１２は、第一の実施例においてのように、中間平面４９を有しておらず、箱部分１１の形状に対応して、より幅狭の蓋の前壁部１７および蓋の後壁部２０並びにより幅広の部分側壁部２９，３３のみを有している。
【００７３】
中間平面４９の輪郭も、長手方向折線３８も、図４１および４２に従い、切り口５３によって境界付けられている。隣接する側壁部の間の角度は、すべての実施例においてのように１３５°以上である。
【００７４】
第十の実施例が図４３から４９に示されている。そこで示される包装１０は、前述の実施例の包装１０と違って長方形包装である。つまり長方形断面を有する包装１０である。相応して、包装１０は、部分側壁部を有さない。この包装１０においてもまた中間平面４９が形成される、つまり箱の前壁部１８と両隣接する箱の狭側壁部２５の間の折線３８の領域中に両側に形成される。
【００７５】
中間平面４９は、箱の狭側壁部２５の全高さに渡って延在している。
【００７６】
移行線５０の輪郭は、アーチ形状に形成されており、それぞれが、二つの反対に反ったアーチ部分から成っている。各移行線５０のアーチ部分は、異なる長さを有しており、これによって特徴的な形状が発生する。
【００７７】
図４３中では、図中で左側の移行線５０の上方のアーチ部分は、下側のアーチ部分よりも短い長さを有している。図中で右側の移行線５０においては、これはちょうど反対である。これによって、特有かつコピーが困難な形状が生まれる。他の側壁部２３への移行部中の他の中間平面４９は、鏡像状に形成されるので、包装１０の前壁部１６は、調和のとれた外観を有する（図４５）。後壁部１９の折線３８の領域中には、中間平面４９は形成されない。
【００７８】
記載した実施例の枠内において個々の特徴を組合わせることが考えられるということは当然である。例えば、レンズ形状の中間平面を他の包装形状においてしようすることや、その逆もまた可能である。更に、同一の包装１０内でレンズ形状の中間平面４９もひし形の中間平面４９も設けることができる。更に考えうるのは、中間平面を前壁部または後壁部の領域のみに設けることである。同様に、一つの狭側壁部に隣接してのみくぼみがあることも考えうる。中間平面を蓋にもまた設けることが更に可能である。中間平面４９の輪郭は、（凹形状または凸形状に）曲げられた移行線５０を有するひし形と相違していてもよい。さらにまた当然のごとく、実施例が示すように、中間平面の寸法も変化してよい。
【００７９】
包装１０の水平方向の周囲が、包装１０の高さに渡って可能な限り少なく変化するように、中間平面４９が設けられるまたは形成されるべきである、ということが基本的に表されることが可能である。外包装の収縮によって、異なる周囲寸法のある程度の均衡が図れるとしても、大きく変動する周囲寸法は、通常の外包装（例えば透明なセロファン）が、滑らかに、または皺無く、接触しないということに通じうる。よって、中間平面４９は、周囲寸法が著しく変動しないよう、位置及び／又は形状を決められると有利である。中間平面４９の大きさ、及び／又は幅、及び／又は位置は、包装１０の周囲寸法における中間平面４９の割合が、包装１０の高さにわたって僅かな程度だけ変化するよう選択されることが可能である。
【符号の説明】
【００８０】
１０    包装
１１    箱部分
１２    蓋
１３    カラー
１４    閉鎖エッジ（蓋）
１５    閉鎖エッジ（箱部分）
１６    前壁部
１７    蓋の前壁部
１８    箱の前壁部
１９    後壁部
２０    蓋の後壁部
２１    箱の後壁部
２２    狭側壁部
２３    狭側壁部
２４    蓋の狭側壁部
２５    箱の狭側壁部
２６    底壁部
２７    蓋壁部
２８    包装内容物
２９    部分側壁部
３０    部分側壁部
３１    部分側壁部
３２    部分側壁部
３３    部分側壁部
３４    線状関節
３５    ブランク
３６    蓋の内側タブ
３７    横断方向折線
３８    長手方向折線
３９    箱の側方タブ
４０    箱の側方タブ
４１    箱の側方タブ
４２    蓋の側方タブ
４３    蓋の側方タブ
４４    蓋の側方タブ
４５    底の角タブ
４６    蓋の角タブ
４７    カラーのブランク
４８    くぼみ
４９    中間平面
５０    移行線
５１    下方の端部
５２    上方の端部
５３    切り口
５４    溝
５５    角度
５６    側方の角
５７    丸い角
５８    セグメント
５９    斜めの角
【図１】
0005679982.tif 000002
【図２】
0005679982.tif 000003
【図３】
0005679982.tif 000004
【図４】
0005679982.tif 000005
【図５】
0005679982.tif 000006
【図６】
0005679982.tif 000007
【図７】
0005679982.tif 000008
【図８】
0005679982.tif 000009
【図９】
0005679982.tif 000010
【図１０】
0005679982.tif 000011
【図１１】
0005679982.tif 000012
【図１２】
0005679982.tif 000013
【図１３】
0005679982.tif 000014
【図１４】
0005679982.tif 000015
【図１５】
0005679982.tif 000016
【図１６】
0005679982.tif 000017
【図１７】
0005679982.tif 000018
【図１８】
0005679982.tif 000019
【図１９】
0005679982.tif 000020
【図２０】
0005679982.tif 000021
【図２１】
0005679982.tif 000022
【図２２】
0005679982.tif 000023
【図２３】
0005679982.tif 000024
【図２４】
0005679982.tif 000025
【図２５】
0005679982.tif 000026
【図２６】
0005679982.tif 000027
【図２７】
0005679982.tif 000028
【図２８】
0005679982.tif 000029
【図２９】
0005679982.tif 000030
【図３０】
0005679982.tif 000031
【図３１】
0005679982.tif 000032
【図３２】
0005679982.tif 000033
【図３３】
0005679982.tif 000034
【図３４】
0005679982.tif 000035
【図３５】
0005679982.tif 000036
【図３６】
0005679982.tif 000037
【図３７】
0005679982.tif 000038
【図３８】
0005679982.tif 000039
【図３９】
0005679982.tif 000040
【図４０】
0005679982.tif 000041
【図４１】
0005679982.tif 000042
【図４２】
0005679982.tif 000043
【図４３】
0005679982.tif 000044
【図４４】
0005679982.tif 000045
【図４５】
0005679982.tif 000046
【図４６】
0005679982.tif 000047
【図４７】
0005679982.tif 000048
【図４８】
0005679982.tif 000049
【図４９】
0005679982.tif 000050